(57)【要約】      （修正有）【課題】既存の商品紹介のＷｅｂページやクチコミ情報Ｗｅｂページに、商品購入機能を提供する。【解決手段】予めデータベースに定義しておいたショップ情報の項目に、登録用Ｗｅｂページからショップ運営者の情報を登録することで、販売対象の商品を登録可能とし、ショップ運営者は、商品ごと販売に必要な商品情報（商品名、商品コード、商品説明文、商品仕様、単価、送料など）を登録することで、自身の作成したＷｅｂページに、本システムから生成された貼り付け可能な商品購入用Ｈｔｍｌパーツを当該商品のＷｅｂページに貼り付けることで既存の商品紹介用Ｗｅｂページから消費者に向けて商品を販売可能にする。本システムを介して商品を購入した一般ユーザ（消費者）がその商品を使用した感想や販売者の対応などを独自にインターネットで公開するＷｅｂページにも商品購入用Ｈｔｍｌパーツを貼り付け、その効果による売り上げから利益を享受できる。【選択図】図２
2011008739.tif 000002
【特許請求の範囲】
【請求項１】
Ｗｅｂページに貼り付けることができる商品購入用Ｈｔｍｌパーツを生成し提供する。このＨｔｍｌパーツには販売者と商品、貼り付ける権利をもった者を判別できる仕組みとなっており、そのパーツが貼り付けられたＷｅｂページが、Ｗｅｂブラウザで表示されるときにＪａｖａｓｃｒｉｐｔが作動し、本システムへのアクセスが行われ、予め登録してあるショップ運営者、および商品の情報から表示すべき内容を提供することを特徴とするシステム。
【請求項２】
請求項１の購入用Ｈｔｍｌパーツにおいて、消費者が購入した場合、その購入者はクチコミ情報を発信する権利者となり、当該商品を消費者へ販売が可能な購入用Ｈｔｍｌパーツが生成され取得できる。この購入用Ｈｔｍｌパーツが貼り付けられたＷｅｂページがＷｅｂブラウザで表示されるとき、消費者を戸惑わせないよう請求項１で表示される内容に加えてクチコミ情報であることを識別できる表示がなされるシステム。
【請求項３】
請求項２の購入用Ｈｔｍｌパーツにおいて、商品を登録した商品販売者の商品紹介Ｗｅｂページを表示するための機能を有する。その機能でクチコミ情報ページから販売者の商品紹介ページを表示し、販売者側のＷｅｂページに貼り付けられた購入用Ｈｔｍｌパーツから購入に至った場合でも、購入のキッカケになった権利者であるクチコミ情報の提供者を一定時間の間保持しておくことで、クチコミ情報ページから購入に至ったものとして処理することが可能なシステム。
【発明の詳細な説明】
【技術の分野】
【０００１】  本発明は、インターネットにおける販売機会の拡大と商品紹介Ｗｅｂページに簡易に購入機能を追加したいというニーズに適したシステムに関する。
【背景技術】
【０００２】  Ｗｅｂサイトでの商品販売は、販売者が商品の写真や説明文、および価格や送料を掲載し、インターネットユーザへ販売している。【０００３】  商品購入者は、購入した商品の感想をクチコミ情報として購入した販売サイトへ投稿する権利を与えられ、投降したクチコミ情報は当該商品を購入した時の販売者の対応や、商品を使用（消費）した感想などの補足情報として、様々な購入者のクチコミ情報を閲覧することができ、販売者への信頼感や商品への期待感を増進させる重要な働きをしてきた。
【先行技術文献】
【非特許文献】
【非特許文献１】  ＯｎｅＳｔｙｌｅ  Ｍｙ  Ｓｈｏｐ、［ｏｎｌｉｎｅ］、ファーストサーバ株式会社、［平成２１年６月２４日検索］、インターネット＜ＵＲＬ：ｈｔｔｐ：／／ｗｗｗ．ｏｎｅｓｔｙｌｅ．ｂｉｚ／＞
【特許文献】
【特許文献１】  特開２００７−１４８８００号公報
【発明の概要】
【発明が解決しようとする課題】
【０００４】  販売者が管理している商品販売Ｗｅｂページに、購入者（消費者）からのクチコミ情報を掲載する方式が一般的だが、その掲載可能な情報量はおのずと限られてしまう。【０００５】  販売商品の紹介ページで、クチコミ情報を直接閲覧できるようにするには、悪意を持った投稿などを排除するために、掲載を許可するかしないかの判断をショップ運営者が行うことになり負担増となっている。【０００６】  販売者の管理外のＷｅｂページとして、インターネット上にブログや個人のホームページにクチコミ情報が掲載されることも多々あるが、商品購入に繋がる有益なＷｅｂページであっても、直接購入に結び付ける手段が当該ページで提供されていない。
【課題を解決するための手段】
【０００７】  本発明は、インターネット上に広く公開されているブログや個人のホームページに記載されたクチコミ情報のＷｅｂページに、当該商品を購入するためのＨｔｍｌパーツを、本システムから提供された指定のＨｔｍｌタグを転記（コピー＆ペースト）するだけで機能追加できるようにするものである。【０００８】  同様の仕組みで、ショップ運営者自らが作成・公開している既存の商品紹介Ｗｅｂページにも、本システムから取得できる購入用Ｈｔｍｌパーツを貼り付けるだけで、一般ユーザが即購入行動に移れるようにすることで、独自に作成した既存の商品紹介ページに商品購入機能を付加する。【０００９】  購入用Ｈｔｍｌパーツには、その権利者、ショップ運営者、および商品を特定するための情報を内包させておき、購入ボタンを押下するなどして本システムに注文を通知した時に判別できる仕組みとする。【００１０】  権利者を判別することで、購入のきっかけとなったＷｅｂページの権利者へ一定の計算式から計算されたクチコミ掲載料金を、ポイントや現金として支払うことができる仕組みとする。権利者がショップ運営者である場合は除外する。
【発明の効果】
【００１１】  本発明によれば、販売に供したＷｅｂサイトを越えて広くインターネット上に掲載されるクチコミ情報のＷｅｂページからも販売が可能になり、販売機会の拡大が図れる。【００１２】本発明は、商品を購入した一般ユーザが公開したクチコミ情報Ｗｅｂページに、購入用Ｈｔｍｌパーツを貼り付ける権利を与えることで、クチコミ掲載ユーザとなり、そのクチコミ情報による購入が行われたときには、クチコミ掲載料金を支払う仕組みにより、クチコミ情報を発信する者に恩恵を与える事ができるようになる。【００１３】  それにより、良い商品は労少なくして販売機会を拡大することが可能となり、クチコミ情報や商品紹介ページが、本システムとは別のサーバに分散配置されることによって、本システムに要求されるハードウェアやネットワーク回線への負荷も低減される。
【図面の簡単な説明】
【００１４】
【図１】  システム構成を示すブロック図
【図２】  処理フロー図
【図３】  購入用Ｈｔｍｌパーツの図
【図４】  商品紹介Ｗｅｂページに貼り付けた図
【図５】  クチコミ掲載者の購入用Ｈｔｍｌパーツの図
【図６】  クチコミ情報のＷｅｂページに貼り付けた図
【発明を実施するための形態】
【００１５】  次に、本発明の実施形態を図を用いて説明する。
図１は、実施形態のシステム構成を示すブロック図である。
同図に示すように、本システムはクチコミ販売サーバを有しており、このクチコミ販売サーバは、汎用のネットワーク（たとえばインターネット）を介して、顧客であるショップ運営者の販売管理端末に接続される。なお、クチコミ販売サーバと、ショップ運営者の販売管理端末ＰＣとはローカルネットワークを介して接続されても良い。
【００１６】  クチコミ販売サーバは、汎用のコンピュータサーバであり、中央処理装置（ＣＰＵ）を中心に、バス（ＢＵＳ）で接続された主記憶装置（ＭＭ）、大規模記憶装置としてのハードディスク装置（ＨＤ）とともに、サーバアプリケーションが登録されており、当該プログラムがバス（ＢＵＳ）および主記憶装置（ＭＭ）を介して中央処理装置（ＣＰＵ）に順次読み込まれることによって実行処理されることによって、クチコミ販売サーバの機能が実現されるようになっている。
【００１７】  なお、ハードディスク装置（ＨＤ）には、販売管理端末のための商品登録用プログラムが保存されており、そのプログラムを介して商品データベース（ＤＢ）へ蓄積される。
【００１８】  また、クチコミ掲載ユーザを管理するための情報もデータベース（ＤＢ）へ蓄積される。なお、販売管理端末（ＰＣ）、販売サイト（サーバ）、クチコミ掲載ユーザのホームページ（サーバ）、ブログ（サーバ）、各種Ｗｅｂサイト（サーバ）、購入端末（ＰＣ）のハードウェアとしては、前記と同様のコンピュータシステムとなっているが、説明は省略する。
【００１９】  図２は、本実施形態の処理フローである。
同図に示す手順によれば、まず販売管理端末よりショップ運営者がショップ情報を登録する。これにより、商品購入者へ表示すべきショップ運営者の情報がデータベース（ＤＢ）へ蓄積されます。
【００２０】    図３は、購入用Ｈｔｍｌパーツを示す図である。
次に、ショップ運営者は、販売する商品の情報を本システムへ登録します。これにより、販売商品の情報がデータベースへ蓄積され、それらの商品を購入することができる図３に示すようにＷｅｂブラウザ上で表示されるＨｔｍｌパーツを、本システムから取得できるようになります。
【００２１】    図４は、購入用Ｈｔｍｌパーツを商品紹介Ｗｅｂページに貼り付けた例を示す図である。
次に、ショップ運営者は、既存の商品紹介Ｗｅｂページへ、本システムから取得した購入用Ｈｔｍｌパーツを図４に示す例のように貼り付けることで、一般ユーザが商品を購入できるようにする。
【００２２】  次に、一般ユーザは、ショップ運営者の商品紹介ページをインターネットなどのネットワークを介して閲覧し、商品紹介ページに貼り付けられた商品購入用のボタンを押下するなどして、商品の注文を本システムへ通知し購入します。
【００２３】  図５は、クチコミ掲載者の商品購入用Ｈｔｍｌパーツを示す図である。
次に、一般ユーザは、本システム運営者へ購入商品の代金を支払います。これにより、一般ユーザは、クチコミ情報を発信できる権利があるものとしてデータベースへ反映されます。それにより、Ｅメールの本文に購入用Ｈｔｍｌのタグが記載されて送られるなどして取得する。
【００２４】  図６は、クチコミ掲載者のＷｅｂページに図５に示すパーツを貼り付けた例を示す図である。
次に、商品購入者はクチコミ情報を自身のブログなどのＷｅｂページに掲載した時、このＨｔｍｌパーツを貼り付けることができる。Ｈｔｍｌパーツには、どのショップの何の商品で誰がクチコミ情報発信者かを、本システムが判別できる情報を有している。
【００２５】  次に、本システムは、入金確認の取れた注文の代金から、本システムの利用料金である手数料分を差し引いて、ショップ運営者へ支払いを行います。
【００２６】  次に、一般ユーザである購入者は、商品を使用した感想を自身のホームページやブログ、様々なＷｅｂサイトで発表したときに、本システムから取得した購入用Ｈｔｍｌパーツを貼り付け、他の一般ユーザに公開することで、クチコミ掲載ユーザとなります。
【００２７】  次に、他の一般ユーザがクチコミ掲載ユーザの提供する商品紹介ページのクチコミ情報をネットワークを介して閲覧し、当該ページに貼り付けられた商品購入用Ｈｔｍｌパーツに表示された購入ボタンを押下するなどして、本システムに注文通知すると、先に述べた手順同様に代金の支払いを行いますが、購入動機となったクチコミ掲載ユーザに対して、その商品の代金から、本システムに設定されたクチコミ掲載手数料分と本システムの利用料金である手数料とを差し引いて、ショップ運営者へ支払いを行います。
【００２８】  次に、本システムはクチコミ情報掲載料金を、クチコミ掲載ユーザへ支払います。その方法は、本システムに加盟している他のショップでも使用可能なポイントとして計上しますが、後に支払い方法が登録されれば現金として支払い可能とします。
【産業上の利用可能性】
【００２９】  本発明が提供する購入用Ｈｔｍｌパーツは、貼り付けるＷｅｂページに大きな制約を与えることがないので、商品紹介のＷｅｂページを比較的自由につくることができる。必然的に商品の説明内容を充実させることが可能で、複数ページに渡る商品紹介ページなどの商品ごとに不定形なＷｅｂページでも、消費者に向けて容易に商品を販売することが可能となる。【００３０】  これは、比較的商品点数の少ない販売者においても、充実した販売用Ｗｅｂサイトを構築することができるメリットがある。【００３１】  そのような小規模事業者であれば、なおさら販売機会の拡大は重要事項だが、商品を購入してくれた一般ユーザ（消費者）にインセンティブを与えることで、クチコミ情報を発信する動機付けを与え広くインターネット上へのクチコミ情報掲載へと導くことができる。これにより取り扱い商品点数が少なくとも、良い商品であれば販売機会をより増やすことが可能で、消費者支援型の販売促進効果が期待できる。
【図１】
2011008739.tif 000003
【図２】
2011008739.tif 000004
【図３】
2011008739.tif 000005
【図４】
2011008739.tif 000006
【図５】
2011008739.tif 000007
【図６】
2011008739.tif 000008